【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
情報処理装置、携帯端末及び受信したジョブの印刷処理を行う印刷装置から構成される印刷システムであって、
前記情報処理装置は、
ユーザーの指示に応じて中間データ形式である中間ジョブを生成するジョブ生成手段と、
前記生成された中間ジョブをスプールするスプール手段と、
前記携帯端末からのジョブ情報を要求する第１の要求に応答して、前記スプールされた中間ジョブのジョブ情報を応答する応答手段と、
前記携帯端末からのジョブの転送のための第２の要求に応答して、当該要求に従い、前記スプールされた中間ジョブから生成したジョブを送信する送信手段と、を有し、
前記携帯端末は、
前記情報処理装置に対してジョブ情報を要求する第１の要求を送信する第１要求手段と、
前記情報処理装置から受信したジョブ情報に基づくジョブの一覧の画面と、印刷設定を行うための設定画面との表示を行う表示手段と、
前記ジョブの一覧から、印刷対象とするジョブの選択を受け付ける入力手段と、
前記印刷装置と近接したことに応じた前記携帯端末が備える読み取り装置を用いた無線通信に従い、前記印刷装置で印刷処理を行わせるための出力先に関する情報の読み取り処理を実行する読み取り手段と、
前記情報処理装置に対して、前記入力手段により選択を受け付けたジョブの情報を含む第２の要求を、前記読み取り処理に応じて送信する第２要求手段と、を有することを特徴とする印刷システム。
【請求項２】
前記携帯端末が備える読み取り装置は、前記印刷装置の外部または内部に固定されたＩＣチップで管理される情報を読み取るＩＣチップ読み取り装置であることを特徴とする請求項１に記載の印刷システム。
【請求項３】
前記情報処理装置は、前記中間ジョブから印刷プレビュー画像を生成するプレビュー画像生成手段をさらに有し、
前記携帯端末は、前記情報処理装置により生成されたプレビュー画像を要求する第３の要求を送信する第３要求手段をさらに有し、
前記表示手段は、前記第３要求手段による第３の要求の応答として取得したプレビュー画像を表示することを特徴とする請求項１または２に記載の印刷システム。
【請求項４】
情報処理装置、携帯端末及び受信したジョブの印刷処理を行う印刷装置から構成される印刷システムにおける制御方法であって、
前記情報処理装置は、
ユーザーの指示に応じて中間データ形式である中間ジョブを生成するジョブ生成工程と、
前記生成された中間ジョブをスプールするスプール工程と、
前記携帯端末からのジョブ情報の第１の要求に応答して、前記スプールされた中間ジョブのジョブ情報を応答する応答工程と、
前記携帯端末からのジョブの転送のための第２の要求に応答して、当該要求に従い、前記スプールされた中間ジョブから生成したジョブを送信する送信工程と、を有し、
前記携帯端末は、
前記情報処理装置に対してジョブ情報の第１の要求を送信する第１要求工程と、
前記情報処理装置から受信したジョブ情報に基づく、ジョブの一覧の画面と、印刷設定を行うための設定画面との表示を行う表示工程と、
前記ジョブの一覧から、印刷対象とするジョブの選択を受け付ける入力工程と、
前記印刷装置と近接したことに応じた前記携帯端末が備える読み取り装置を用いた無線通信に従い、前記印刷装置で印刷処理を行わせるための出力先に関する情報の読み取り処理を実行する読み取り工程と、
前記情報処理装置に対して、前記選択されたジョブの情報を含む第２の要求を、前記読み取り処理に応じて送信する第２要求工程と、を有することを特徴とする制御方法。
【請求項５】
近接に応じた無線通信により情報を読み取る読み取り装置を備える携帯端末であって、
情報処理装置に対して、該情報処理装置で管理されるジョブに関するジョブ情報を要求する第１の要求を送信する第１要求手段と、
前記第１の要求の応答として前記情報処理装置から受信したジョブ情報に基づくジョブの一覧の画面と、印刷設定を行うための設定画面との表示を行う表示手段と、
前記ジョブの一覧から、印刷対象とするジョブの選択を受け付ける入力手段と、
印刷装置との近接に応じた前記読み取り装置を用いた無線通信に従い、前記印刷装置で印刷処理を行わせるための出力先に関する情報の読み取り処理を実行する読み取り手段と、
前記入力手段により選択を受け付けたジョブを前記情報処理装置に転送させるために、前記情報処理装置に対して、当該選択を受け付けたジョブの情報を含む第２の要求を、前記読み取り処理に応じて送信する第２要求手段と、を有し、
前記携帯端末が近接した前記印刷装置において、前記第２の要求に従い転送されたジョブの印刷処理が、前記携帯端末の前記設定画面を介して行われた印刷設定により実行されることを特徴とする携帯端末。
【請求項６】
前記読み取り装置は、前記印刷装置の外部または内部に固定されたＩＣチップで管理される情報を読み取るＩＣチップ読み取り装置であることを特徴とする請求項５に記載の携帯端末。
【請求項７】
前記読み取り手段に読み取られる前記出力先に関する情報は、前記ＩＣチップの固有な識別情報であり、
前記情報処理装置により前記識別情報から出力先となる印刷装置が特定され、前記第２の要求に従い前記印刷装置に対するジョブの転送が行われることを特徴とする請求項６に記載の携帯端末。
【請求項８】
前記情報処理装置により生成されたプレビュー画像を要求する第３の要求を送信する要求手段をさらに有し、
前記表示手段は、前記第３要求手段による要求の応答として取得したプレビュー画像を表示することを特徴とする請求項５乃至７のいずれか１項に記載の携帯端末。
【請求項９】
近接に応じた無線通信により情報を読み取る読み取り装置を備える携帯端末における制御方法であって、
情報処理装置に対して、該情報処理装置で管理されるジョブに関するジョブ情報を要求する第１の要求を送信する第１要求工程と、
前記第１の要求の応答として前記情報処理装置から受信したジョブ情報に基づくジョブの一覧の画面と、印刷設定を行うための設定画面との表示を行う表示工程と、
前記ジョブの一覧から、印刷対象とするジョブの選択を受け付ける入力工程と、
印刷装置との近接に応じた前記読み取り装置を用いた無線通信に従い、前記印刷装置で印刷処理を行わせるための出力先に関する情報の読み取り処理を実行する読み取り工程と、
前記選択を受け付けたジョブを前記情報処理装置に転送させるために、前記情報処理装置に対して、当該選択を受け付けたジョブの情報を含む第２の要求を、前記読み取り処理に応じて送信する第２要求工程と、を有し、
前記印刷装置において、前記第２の要求に従い転送されたジョブの印刷処理が、前記携帯端末の前記設定画面を介して行われた印刷設定により実行されることを特徴とする制御方法。
【請求項１０】
請求項５乃至８のいずれか１項に記載の手段としてコンピューターを機能させるためのプログラム。
【手続補正２】
【補正対象書類名】明細書
【補正対象項目名】０００５
【補正方法】変更
【補正の内容】
【０００５】
上記課題を解決するために、本発明の印刷システムは、携帯端末及び受信したジョブの印刷処理を行う印刷装置から構成され、
前記情報処理装置は、ユーザーの指示に応じて中間データ形式である中間ジョブを生成するジョブ生成手段と、前記生成された中間ジョブをスプールするスプール手段と、前記携帯端末からのジョブ情報を要求する第１の要求に応答して、前記スプールされた中間ジョブのジョブ情報を応答する応答手段と、前記携帯端末からのジョブの転送のための第２の要求に応答して、当該要求に従い、前記スプールされた中間ジョブから生成したジョブを送信する送信手段と、を有し、
前記携帯端末は、前記情報処理装置に対してジョブ情報を要求する第１の要求を送信する第１要求手段と、前記情報処理装置から受信したジョブ情報に基づくジョブの一覧の画面と、印刷設定を行うための設定画面との表示を行う表示手段と、前記ジョブの一覧から、印刷対象とするジョブの選択を受け付ける入力手段と、前記印刷装置と近接したことに応じた前記携帯端末が備える読み取り装置を用いた無線通信に従い、前記印刷装置で印刷処理を行わせるための出力先に関する情報の読み取り処理を実行する読み取り手段と、前記情報処理装置に対して、前記入力手段により選択を受け付けたジョブの情報を含む第２の要求を、前記読み取り処理に応じて送信する第２要求手段と、を有することを特徴とする。